(57)【要約】  多極子場を発生させる巻線型の収差補正器において、電流線を配置するために要求される機械的な位置精度を緩和する。このため、収差補正器を構成する多極子レンズは、磁性体コア（１５０）と、複数の電流線（１０１）〜（１１２）とを有し、磁性体コアの内壁に複数の溝（１５１）〜（１６２）が設けられており、複数の溝の中心（１５１ａ）〜（１６２ａ）は磁性体コアの中心軸（１５０ａ）に対して軸対称に配置されており、複数の電流線の主線部はそれぞれ、磁性体コアの複数の溝のいずれかに配置される。。
2019215893.tif 000002
【特許請求の範囲】
【請求項１】
磁性体コアと、  複数の電流線とを有し、  前記磁性体コアの内壁に複数の溝が設けられており、前記複数の溝の中心は前記磁性体コアの中心軸に対して軸対称に配置されており、  前記複数の電流線の主線部はそれぞれ、前記磁性体コアの前記複数の溝のいずれかに配置される多極子レンズ。
【請求項２】
請求項１において、  前記複数の溝のそれぞれは、前記内壁に向かって広がるテーパー部と、前記電流線の主線部を配置する内室とを有する多極子レンズ。
【請求項３】
請求項１において、  前記電流線は、前記主線部を前記磁性体コアの外部から前記溝内に導入する、または前記主線部を前記溝内から前記磁性体コアの外部に導出する接続部を有し、  前記電流線の接続部と前記磁性体コアとの間に非磁性スペーサが配置される多極子レンズ。
【請求項４】
請求項１において、  前記電流線は、前記主線部を前記磁性体コアの外部から前記溝内に導入する、または前記主線部を前記溝内から前記磁性体コアの外部に導出する接続部を有し、  前記磁性体コアの前記溝の長手方向に対向する磁性体蓋を有し、  前記電流線の接続部は、前記磁性体コアと前記磁性体蓋との間に設けられた貫通孔内に配置される多極子レンズ。
【請求項５】
請求項１において、  前記電流線は、前記磁性体コアの外部に配置される戻り線部を有し、  前記電流線の主線部は、前記磁性体コアの前記溝内に多重化されて配置される多極子レンズ。
【請求項６】
請求項１において、  電界を発生させる複数の電極を有し、  前記複数の電極はそれぞれ、絶縁体を介して前記磁性体コアの前記複数の溝のいずれかに配置される多極子レンズ。
【請求項７】
請求項１〜６のいずれか一項に記載の多極子レンズを多段に有する収差補正器。
【請求項８】
１次電子線を放出する電子銃と、  前記１次電子線が入射され、多段の多極子レンズを有する収差補正器と、  前記収差補正器を通過した１次電子線が入射される対物レンズとを有し、  前記多極子レンズは、磁性体コアと、複数の電流線とを有し、前記磁性体コアの内壁に複数の溝が設けられており、前記複数の溝の中心は前記磁性体コアの中心軸に対して軸対称に配置されており、前記複数の電流線の主線部はそれぞれ、前記磁性体コアの前記複数の溝のいずれかに配置される荷電粒子線装置。
【請求項９】
請求項８において、  前記収差補正器は６極子場を用いた収差補正器である荷電粒子線装置。
【請求項１０】
請求項８において、  色収差を補正する電界を発生させる複数の電極を有し、  前記複数の電極はそれぞれ、絶縁体を介して前記磁性体コアの前記複数の溝のいずれかに配置される荷電粒子線装置。
【発明の詳細な説明】
【技術分野】
【０００１】  本発明は、荷電粒子線応用技術に係り、特に、収差補正器を搭載した走査電子顕微鏡、透過電子顕微鏡等の荷電粒子線装置に関する。
【背景技術】
【０００２】  走査電子顕微鏡（ＳＥＭ：Scanning Electron Microscope）や走査透過電子顕微鏡（ＳＴＥＭ：Scanning Transmission Electron Microscope）などに代表される荷電粒子線装置では、分解能を向上するために収差補正器が導入されている。収差補正器のタイプの一つに、多段に設置された多極子レンズから構成され、電場ないし磁場を発生することにより複数の多極子場を合わせた多極子レンズとして、内部を通過する荷電粒子線に含まれる収差を除去するものがある。複数の電流線からの磁場を用いて多極子場を発生させる巻線型の収差補正器として特許文献１が開示されている。【０００３】  また、特許文献２には偏向コマ収差を低減するため、対物レンズ内にレンズ内偏向器を設置することが開示されており、このレンズ内偏向器として、リング状のフェライトコアにトロイダルコイルを巻いたトロイダル型の偏向器を用いる例が開示されている。
【先行技術文献】
【特許文献】
【０００４】
【特許文献１】特開２００９−５４５８１号公報
【特許文献２】特開２０１３−２２９１０４号公報
【発明の概要】
【発明が解決しようとする課題】
【０００５】  特許文献１では電流線を用いて多極子場を形成することにより、比較的安価な多極子補正系の収差補正器を実現可能であるが、高い機械的な位置精度、この場合は電流線の配置に高い位置精度が要求される。【０００６】  特許文献２は、トロイダルコイルを用いた偏向器を開示しているが、多極子場を発生させる多極子レンズを構成するものではない。
【課題を解決するための手段】
【０００７】  一実施の形態である多極子レンズは、磁性体コアと、複数の電流線とを有し、磁性体コアの内壁に複数の溝が設けられており、複数の溝の中心は磁性体コアの中心軸に対して軸対称に配置されており、複数の電流線の主線部はそれぞれ、磁性体コアの複数の溝のいずれかに配置される。また、かかる多極子レンズを用いて収差補正器、荷電粒子線装置を構成する。
【発明の効果】
【０００８】  多極子場を発生させる巻線型の収差補正器において、電流線を配置するために要求される機械的な位置精度を緩和することができる。【０００９】  その他の課題と新規な特徴は、本明細書の記述および添付図面から明らかになるであろう。
【図面の簡単な説明】
【００１０】
【図１Ａ】多極子レンズの鳥瞰断面図（模式図）である。
【図１Ｂ】多極子レンズの上面図（模式図）である。
【図１Ｃ】磁性体コアに設けられる溝の中心位置の鳥瞰図（模式図）である。
【図２】電流線の鳥瞰図（模式図）である。
【図３】電流線（主線部）の位置と励起される６極子場の強度との関係を示す図である。
【図４】磁性体コアの溝の幅と励起される６極子場の強度との関係を示す図である。
【図５】磁性体コアの内径と励起される６極子場の強度との関係を示す図である。
【図６】電流線の巻線数と励起される６極子場の強度との関係を示す図である。
【図７】磁性体コアに設けられる溝の形状の一例である。
【図８】磁性体コアに設けられる溝の形状例である。
【図９】電流線（接続部）により励起される６極子場の強度を示す図である。
【図１０】磁性体コアに非磁性スペーサを設けた多極子レンズの例である。
【図１１Ａ】磁性体コアの鳥瞰断面図である。
【図１１Ｂ】磁性体コアの断面図（Ａ０面）である。
【図１１Ｃ】磁性体コアの断面図（Ａ１面）である。
【図１１Ｄ】磁性体コアの断面図（Ｂ面）である。
【図１２】上下蓋付き磁性体コアを用いた多極子レンズの効果を説明する図である。
【図１３Ａ】電極付磁性体コアを示す図である。
【図１３Ｂ】電極付磁性体コアを示す図である。
【図１４】収差補正器を組み込んだ走査電子顕微鏡全体の構成例を示す概略図である。
【発明を実施するための形態】
【００１１】  収差補正器は多段の多極子レンズを有して構成される。本実施例の多極子レンズは、電流線が磁性体コアの内壁に設けられた溝に配置される構成を有している。図１Ａは巻線収差補正器の１段分の多極子レンズの鳥瞰断面図（模式図）であり、図１Ｂは巻線収差補正器の１段分の多極子レンズの上面図（模式図）であり、図１Ｃは磁性体コアに設けられる溝の中心位置の鳥瞰図（模式図）である。磁性体コア１５０は純鉄やパーマロイなどの磁性材料でつくられ、円筒形状を有し、その内壁にはＺ方向に延在する溝１５１〜１６２が設けられている。図１Ｃに示されるように、各溝の中心位置１５１ａ〜１６２ａは、磁性体コア１５０の中心軸１５０ａに対して軸対称に設けられている。すなわち、中心軸１５０ａに対して、同一平面上に軸対称となるように溝１５１の中心位置１５１ａ及び溝１５７の中心位置１５７ａが配置されている。溝の中心位置１５２ａ及び溝の中心位置１５８ａ、溝の中心位置１５３ａ及び溝の中心位置１５９ａ、溝の中心位置１５４ａ及び溝の中心位置１６０ａ、溝の中心位置１５５ａ及び溝の中心位置１６１ａ、溝の中心位置１５６ａ及び溝の中心位置１６２ａについてもそれぞれ同様である。なお、この例では１２の溝が設けられているが、溝の数に限定されない。隣接する溝の間の角度は、溝の数をｋとすると、磁性体コア１５０の中心軸１５０ａを回転軸として溝の数ｋで分割した角度（３６０°／ｋ）となっている。
【００１２】  電流線１０１〜１１２はそれぞれ、その主線部が磁性体コア１５０に設けられた溝１５１〜１６２の中に配置されている。図２は電流線１０１〜１１２だけを抜き出して、鳥瞰図（模式図）として示したものである。荷電粒子線の光軸１００を中心として、電流線１０１〜電流線１１２からなる１２の電流線が配置される。荷電粒子線の光軸１００は、磁性体コア１５０の中心軸１５０ａに一致する。
【００１３】  図１Ａに示される電流線１０１を例に電流線の構造を説明する。電流線１０１は四角形の回路形状をしており、図示しない電源から電流が供給される。電流線に付されている矢印は流れる電流の向きである。以下、図１Ａに示す通り、電流線をその四角形の辺にそれぞれ対応する４つの区間に分け、それぞれを主線部１２１、接続部１２２、接続部１２３、戻り線部１２４と称する。主線部１２１は電流線のうち磁性体コアの溝内に配置される部分、接続部１２２，１２３は主線部１２１を磁性体コアの外部から溝内に導入する、または主線部１２１を溝内から磁性体コア外部に導出する部分、戻り線部１２４は電流線のうち磁性体コアの外部に配置される部分をいう。
【００１４】  多極子場は主線部からの磁場で形成される。図２に示した巻線レンズ（多極子レンズ）には電源を省略しているが、多極子場の励起には特定の配分で電流を流す必要がある。例えば２Ｎ極子場（Ｎは１以上の整数）を励起するための一つの組合せとして、電流線１０１〜１１２のそれぞれに印加する電流をＩ1〜Ｉ12とすると、基準電流ＡNに対して（数１）で求まる電流値の組合せをとる。
【００１５】
【数１】
2019215893.tif 000003
（数１）は単一の多極子場を励起する電流配分を示すものである。これに対して、異なる複数の多極子場を重畳することもでき、その場合、電流線１０１〜１１２はそれぞれ異なる電源に接続される。
【００１６】  磁性体コアを有しない従来の巻線レンズでは、主線部と戻り線部とでは電流の向きが逆になることから、戻り線部による多極子場が主線部による多極子場を弱めてしまう作用を有していた。これに対して、本実施例の巻線レンズでは、主線部１２１と戻り線部１２４との間に磁性体コア１５０が配置されていることにより、磁性体コアが磁気シールドの役割を果たし、戻り線部は主線部による多極子場に対して影響を与えない。発明者らは、さらに本実施例の多極子レンズが収差補正器を構成するために優れた特性を有していることを見出した。
【００１７】  図３は、磁性体コアの径方向に電流線の位置を少しずつ変えた本実施例の多極子レンズについて６極子場を励起させ、電流線の位置と励起される６極子場の強度（規格化して示している）との関係を調べたものである。なお、電流線の配置位置以外の磁性体コアの形状は同一である。図に示すように、電流線位置（横軸）が大きくなるほど、電流線の主線部が磁性体コアの内径寄りから外径寄りにずれた位置にあることを意味している。この結果より、電流線位置が3ｍｍ〜3.1ｍｍの場合のように、電流線の主線部が磁性体コアの径方向にずれても、励起される６極子場の強度にはほぼ影響を受けない領域があることが分かる。
【００１８】  図４は、溝の幅Ｗを少しずつ変えた磁性体コアを用いた本実施例の多極子レンズについて６極子場を励起させ、溝の幅Ｗと励起される６極子場の強度（規格化して示している）との関係を調べたものである。なお、溝の幅以外の磁性体コアの形状は、電流線の配置位置を含めて同一である。この結果より、溝幅が0.3ｍｍ〜0.5ｍｍの場合のように、溝の幅が変化しても励起される６極子場の強度にはほぼ影響を受けない領域があることが分かる。
【００１９】  これらの結果より、本実施例の多極子レンズにより励起される磁場強度は、磁性体コアの溝内に配置される電流線の主線部の位置精度の影響をほぼ受けないようにすることができることが分かる。従来の磁性体コアを用いない巻線収差補正器では、所望の磁場を発生させるために、電流線の配置位置には高い精度が要求されていた。これに対して、本実施例の巻線収差補正器では磁性体コアの溝の中心位置が周方向及び径方向に精度高く製作されていれば、溝の中における電流線の配置位置のずれは多極子レンズが発生させる磁場強度への影響をほとんど有しないこととなり、これは実際に多極子レンズを作製して、収差補正器を構成するときに非常に有利な特徴である。
【００２０】  一方、多極子レンズが発生させる多極子場強度は、磁性体コアの内径、電流線の巻線数により調整することができる。図５は、内径を少しずつ変えた磁性体コアを用いた本実施例の多極子レンズについて６極子場を励起させ、内径と励起される６極子場の強度（規格化して示している）との関係を調べたものである。このように、内径が小さくなるほど多極子レンズにより励起される磁場強度が大きくなっていることが分かる。また、図６は、電流線の巻線数を変えた本実施例の多極子レンズについて６極子場を励起させ、巻線数と励起される６極子場の強度（規格化して示している）との関係を調べたものである。このように、巻線数が多くなる、すなわち磁性体コアの溝内に配置される電流線の主線部の多重数が多くなるほど多極子レンズにより励起される磁場強度が強くなっていることが分かる。
【００２１】  このように、本実施例の多極子レンズでは、磁性体コアの内径及び電流線を配置する溝の中心位置が精度よく（例えば、周方向の位置のずれであれば１度以内）作製され、対向する溝の中心位置が磁性体コアの中心軸に対して軸対称に配置されているようになっていればよいため、溝の形状は巻きやすさを考慮して定めることが可能である。図７に磁性体コアに設けられる溝の形状の例を示す。この例では、溝２００に内壁に向かって広がるテーパー部２０１、電流線を配置する内室２０２を設けている。
【００２２】  図８に磁性体コアに設けられる溝の変形例を示す。（Ａ）〜（Ｅ）において、それぞれ中心軸３００ａ〜３００ｅを原点として、第１の溝の中心位置３０１ａ〜３０１ｅ、第２の溝の中心位置３０２ａ〜３０２ｅ、第３の溝の中心位置３０３ａ〜３０３ｅは周方向Ｃ、径方向Ｒに同じ位置にあるとする。例示するように、溝の形状につき、テーパー部の広がりの大きさを変えても、（Ｅ）のように、テーパー部に屈曲部を設けても問題ない。
【００２３】  また、磁性体コアの上面及び下面に電流線の接続部を位置決めするための配線ガイド（溝）を設けてもよい。図９に示すように、電流線の接続部同士は磁性体コア１５０を介して対向しているため、電流線の接続部によって発生する磁場強度は磁性体コアがない場合に比べて大きくなる。すなわち、磁性体コア１５０が存在しない巻線レンズの場合、接続部４０１、４０２により励起される６極子場強度は波形４１０であるのに対して、磁性体コア１５０が存在する巻線レンズの場合、接続部４０１、４０２により励起される６極子場強度は波形４２０となり、波形４１０に比べて著しく大きくなる。このため、Ｚ方向の溝の位置についても高い精度が必要とされる。このため、図１０に示すように、磁性体コア１５０に対してＺ方向に非磁性スペーサを設け、非磁性スペーサ上に電流線の接続部が配置されることで、接続部により励起される６極子場強度を低下させ、Ｚ方向の溝の位置に求められる精度を緩和させることができる。なお、図１０では磁性体コア１５０の上面に非磁性スペーサを設けた例であるが、上下面双方に非磁性スペーサを設けてもよい。
【００２４】  以上の例では、磁性体コアの内壁に上下面に達する溝を設けている。これに対して、磁性体コアの溝をスリット状にしてもよい。いわば、図１Ａに示した磁性体コア１５０に対してその上下に磁性体蓋を追加した形状に相当する。図１１Ａ〜Ｄを用いて、磁性体コアに設けられるスリットの形状について説明する。図１１Ａは磁性体コアの鳥瞰断面図であり、図１１Ｂは図１１Ａに示すＡ０面における磁性体コアの断面図であり、図１１Ｃは図１１Ａに示すＡ１面における磁性体コアの断面図であり、図１１Ｄは図１１Ａに示すＢ面における磁性体コアの断面図である。ここで、Ａ０面は磁性体コア５５０のスリット５０１の中央付近を通るＸＹ面であり、Ａ１面はスリット５０１の端部を通るＸＹ面であり、Ｂ面はスリット５０１を通るＹＺ面である。スリット５０１の両端部にはそれぞれ貫通孔５０２，５０３が設けられており、図１１Ｃ、図１１Ｄに示すように、貫通孔５０２，５０３を通してスリット５０１内に電流線５１１が配置される。
【００２５】  図１１Ａ〜Ｄに示した上下蓋付きの磁性体コアを用いて多極子レンズを構成する効果について図１２を用いて説明する。図１２は横軸を電流線の中心を原点としたＺ方向の位置を示し、縦軸は多極子レンズに励起させた６極子場の強度を示している。波形６０３が上下蓋付きの磁性体コアを用いた多極子レンズに励起させた６極子場の強度である。これに対し、比較例として、電流線の主線部のみで励起させる６極子場の強度を波形６０１に、電流線の主線部及び接続部で励起される６極子場の強度を波形６０２に示している。波形６０２は、図１Ａに示した磁性体コアを用いた多極子レンズで励起した６極子場の強度に相当する。波形６０２では両端部において電流線の接続部の励起する磁場の影響が現れ、波形６０１との乖離が生じている。これに対して、波形６０３では波形６０２にみられる接続部の影響がなくなり、波形６０１とほぼ同様の６極子場強度が得られていることが分かる。このように、上下蓋付きの磁性体コアを用いた多極子レンズによって、電流線の接続部の位置ずれの影響をなくし、理想的な巻線レンズによる多極子場を励起させることができる。
【００２６】  なお、図１１Ａ〜Ｄに示した上下蓋付きの磁性体コアは、前述したように磁性体コアに対してＺ方向に延在し、上下面までは達しないスリット構造を設けてもよいし、図１Ａに示した磁性体コアに対して、同じ内径と外径を有する円筒形状の磁性体蓋を磁性体コアの上下に配置することで、図１１Ａ〜Ｄに示した上下蓋付きの磁性体コアとすることも可能である。この場合には、磁性体コアと磁性体蓋とが接する面に電流線の接続部を通すための貫通孔が設けられる必要がある。本実施例では、上下蓋付きの磁性体コアを１パーツで構成した場合であっても、別パーツの組み合わせで構成した場合であっても、電流線の主線部が配置されている部分を磁性体コアと称し、磁性体コアよりも上または下の磁性体部分を蓋または磁性体蓋と称している。
【００２７】  図１３Ａ、図１３Ｂに磁性体コアに対して電極を設ける例を示す。電極は、例えば、本実施例の多極子レンズを用いた収差補正器を組み込んで電子線装置を構成する際に、１次電子線の色収差を補正するための電界を発生させるために用いる。上述のように、磁性体コア７５０に電流線７１１が配置される溝（またはスリット）７０１が設けられている。図１３Ａの例では、電極７３１は溝７０１に挿入される。このとき、磁性体コア７５０と電極７３１とは異なる電位となるため、電極７３１は絶縁体７２１を介して溝７０１内に配置する。ここで、絶縁体７２１のチャージアップを防止するため、絶縁体７２１が光軸に対してできるだけ露出しないようにすることが望ましい。図１３Ｂは、絶縁体が光軸からみえないようにする配置例である。すなわち、絶縁体７２２は磁性体コア７５０の内壁に沿うように溝７０１に設けられ、絶縁体７２２を覆うように電極７３２が配置されている。
【００２８】  以上説明した巻線型多極子レンズを用いた収差補正器を組み込んだ電子線装置の構成例を図１４に示す。本装置では、電子銃８０１から１次電子線が放出され、コンデンサレンズ８０２で平行ビームに形成され、多極子レンズ８０３を通過する。多極子レンズ８０３を通過した１次電子線は、コンデンサレンズ８０４とコンデンサレンズ８０５によって多極子レンズ８０６へ転写される。その後、１次電子線はコンデンサレンズ８０７および対物レンズ８０８で収束作用を受けて試料８０９上に照射される。真空容器８００内は真空にされており、電子線は電子銃８０１から試料８０９に到達するまで真空状態が維持された中を進む。多極子レンズ８０３および多極子レンズ８０６はそれぞれ、本実施例として説明した巻線型多極子レンズで構成され、球面収差補正を行うために６極子場が励起される。本球面収差光学系は、ＳＴＥＭなどで用いられる一般的な収差補正器と同一の光学系である。違いは、多極子レンズ８０３および８０６がくさび型の磁性体でできた多極子でなく、前述の通り巻線による多極子レンズを用いることである。なお、巻線型の多極子レンズは６極子場を用いた収差補正器以外にも、４極子場と８極子場を用いた４段の収差補正器にも適用可能である。
【００２９】  なお、本発明は上記した実施例に限定されるものではなく、様々な変形例が含まれる。例えば、上記した実施例は本発明を分かりやすく説明するために説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３０】１００…光軸、１０１〜１１２，５１１，７１１…電流線、１２１…主線部、１２２，１２３…接続部、１２４…戻り線部、１５０，５５０，７５０…磁性体コア、１５１〜１６２，７０１…溝、４００…非磁性スペーサ、５０１…スリット、５０２，５０３…貫通孔、７２１，７２２…絶縁体、７３１，７３２…電極、８００…真空容器、８０１…電子銃、８０２，８０４，８０５，８０７…コンデンサレンズ、８０３，８０６…多極子レンズ、８０８…対物レンズ、８０９…試料。
【図１Ａ】
2019215893.tif 000004
【図１Ｂ】
2019215893.tif 000005
【図１Ｃ】
2019215893.tif 000006
【図２】
2019215893.tif 000007
【図３】
2019215893.tif 000008
【図４】
2019215893.tif 000009
【図５】
2019215893.tif 000010
【図６】
2019215893.tif 000011
【図７】
2019215893.tif 000012
【図８】
2019215893.tif 000013
【図９】
2019215893.tif 000014
【図１０】
2019215893.tif 000015
【図１１Ａ】
2019215893.tif 000016
【図１１Ｂ】
2019215893.tif 000017
【図１１Ｃ】
2019215893.tif 000018
【図１１Ｄ】
2019215893.tif 000019
【図１２】
2019215893.tif 000020
【図１３Ａ】
2019215893.tif 000021
【図１３Ｂ】
2019215893.tif 000022
【図１４】
2019215893.tif 000023
【国際調査報告】
2019215893.tif 000024
2019215893.tif 000025
2019215893.tif 000026
2019215893.tif 000027